(57)【特許請求の範囲】
【請求項１】
屋外に開放された屋外開放空間を囲んで設けられる壁部を備え、
前記壁部は、前記屋外開放空間に面して設けられ上下に延びる中空部を有した壁面材と、前記壁面材の下方に設けられ当該壁面材に沿って延びるベース部材とを備え、前記壁面材の下端面と前記ベース部材の上面との間には所定の隙間が形成されている建物に適用され、
前記壁面材の幅方向に沿った長尺状をなし、前記壁面材の中空部を通じて前記隙間に流下した水が前記壁面材の厚み方向において当該隙間から前記壁面材の裏面側へ流れ込むのを阻止する止水部材と、
前記壁面材の下方において前記ベース部材と対向して設けられ、前記壁面材の表面に沿って流下する水を水切りするための水切部材と、を備え、
前記水切部材は、前記ベース部材との間に、前記隙間から前記屋外開放空間へ通じる排水通路を形成しており、
前記止水部材は、
前記ベース部材の上面に当接されたベース当接板部と、
前記ベース当接板部における前記屋外開放空間側とは反対側の端部から上方に延びる縦板部と、
前記縦板部の上端部から前記屋外開放空間側とは反対側に延び、前記壁面材の下端面に当接された壁下当接板部とを備えることを特徴とする建物における壁排水構造。
【請求項２】
前記水切部材は、前記ベース部材の上面と前記壁面材の下端面との間の隙間に配設される被取付部を有しており、
前記止水部材には、前記水切部材の前記被取付部を着脱可能に取り付けるための取付部が設けられていることを特徴とする請求項１に記載の建物における壁排水構造。
【請求項３】
前記止水部材には、長手方向に沿って所定間隔で複数の前記取付部が設けられており、
前記水切部材には、前記取付部の位置に対応させて前記被取付部が設けられており、
前記中空部を通じて流下した水は前記複数の取付部の間を通じて前記排水通路へ導かれることを特徴とする請求項２に記載の建物における壁排水構造。
【請求項４】
前記水切部材は、前記ベース部材の上面と前記壁面材の下端面との間の隙間に入り込んで設けられた横板部を有し、
前記ベース当接板部は、前記縦板部から前記屋外開放空間側に向かって延びその一部が前記横板部と上下に対向しており、その対向した部分と前記横板部との間が前記排水通路の一部となっていることを特徴とする請求項１乃至３のいずれか一項に記載の建物における壁排水構造。
【請求項５】
前記壁面材を下方から支持する壁支持部材を備え、
前記止水部材は、前記壁下当接板部が前記壁面材の下端面と前記壁支持部材との間で挟み込まれることにより固定されていることを特徴とする請求項１乃至４のいずれか一項に記載の建物における壁排水構造。
【請求項６】
前記止水部材は、前記壁下当接板部における前記屋外開放空間側とは反対側の端部から上方に延び、前記壁面材の裏面に当接された壁裏当接板部を備えることを特徴とする請求項１乃至５のいずれか一項に記載の建物における壁排水構造。
【請求項７】
前記排水通路には、当該排水通路の一部を閉塞する閉塞部材が設けられており、
前記排水通路において前記閉塞部材が設けられていない部位を通じて水が排出されることを特徴とする請求項１乃至６のいずれか一項に記載の建物における壁排水構造。
【発明の詳細な説明】
【技術分野】
【０００１】
本発明は、建物における壁排水構造に関する。
【背景技術】
【０００２】
住宅等の建物では、バルコニーが設けられる場合がある。バルコニーは、例えば建物の上階部分において下階部分の居室（下階居室）の上方に設けられる。バルコニーは、上階部分において居室（上階居室）と隣接して設けられ、バルコニーと上階居室とはバルコニー外壁部により仕切られる。バルコニーには、バルコニー床部を囲むように複数のバルコニー腰壁部が設けられる。そして、それらバルコニー腰壁部とバルコニー外壁部とに囲まれた内側空間がバルコニー空間となっている。
【０００３】
バルコニー外壁部では、バルコニー空間に面して壁面材（すなわち外壁面材）が設けられ、その下方には当該壁面材に沿って延びるベース部材が設けられる。この場合、壁面材とベース部材との間の隙間にはバルコニー空間側から止水シールが充填され、当該隙間を通じた雨水の建物内への浸入が防止されている。また、縦横に並べられた複数の壁面材同士の目地にもバルコニー空間側から止水シール（一次シール）が設けられ、目地を通じた雨水の建物内への浸入が防止されている。
【０００４】
バルコニー腰壁部では、腰壁フレームを挟んだ両側に一対の壁面材が設けられ、それら各壁面材のうちバルコニー空間に面した壁面材の下方には当該壁面材に沿って延びるベース部材が設けられる。この場合、当該壁面材とベース部材との間の隙間にはバルコニー空間側から止水シールが充填され、当該隙間を通じた雨水の壁内部への浸入が防止されている。また、バルコニー腰壁部の上端部に設けられる笠木と壁面材の上端部との隙間にも止水シール（一次シール）が設けられ、当該隙間を通じた雨水の壁内部への浸入が防止されている。
【０００５】
ところで、バルコニー外壁部やバルコニー腰壁部において、バルコニー空間に面して設けられる上記の壁面材として、上下に延びる中空部を有した壁面材が用いられることがある（例えば、特許文献１参照）。
【先行技術文献】
【特許文献】
【０００６】
【特許文献１】特開平７−２７９３１０号公報
【発明の概要】
【発明が解決しようとする課題】
【０００７】
バルコニー外壁部において壁面材間の目地に設けられた止水シールが劣化したり腐食したりした場合には、そこから目地内に雨水が浸入するおそれがある。ここで、壁面材が上記の中空部を有する場合、目地に浸入した雨水が当該目地を伝って中空部に入り込むことが考えられる。その場合、その水は中空部を通じて流下し、壁面材とベース部材との間の隙間に達する。そして当該隙間には、上述したようにバルコニー空間側から止水シールが充填されているため、その雨水はバルコニー空間側へは排出されず、当該隙間に溜まってしまうことが考えられる。そうなると、当該隙間から水がバルコニー外壁部の内部側（バルコニー空間とは反対側）に漏れ出して上階居室に流れ込み、上階居室を濡らしてしまう等の問題が生じるおそれがある。
【０００８】
また、バルコニー腰壁部においても笠木と壁面材との間に設けられた止水シールが劣化等すれば、そこから雨水が浸入して壁面材の中空部に入り込むおそれがある。その場合、上記バルコニー外壁部の場合と同様に、その水は中空部を通じて壁面材とベース部材との間の隙間に流下し、その後当該隙間から腰壁フレーム側すなわちバルコニー腰壁部の内部へと流れるおそれがある。そうなると、そこから水が下階居室へ流れ落ち、下階居室を濡らしてしまうおそれがある。
【０００９】
本発明は、上記事情に鑑みてなされたものであり、壁面材の中空部に入り込んだ水が建物内へ浸入するのを防止することができる建物における壁排水構造を提供することを主たる目的とするものである。
【課題を解決するための手段】
【００１０】
上記課題を解決すべく、第１の発明の建物における壁排水構造は、屋外に開放された屋外開放空間を囲んで設けられる壁部を備え、前記壁部は、前記屋外開放空間に面して設けられ上下に延びる中空部を有した壁面材と、前記壁面材の下方に設けられ当該壁面材に沿って延びるベース部材とを備え、前記壁面材の下端面と前記ベース部材の上面との間には所定の隙間が形成されている建物に適用され、前記壁面材の幅方向に沿った長尺状をなし、前記壁面材の中空部を通じて前記隙間に流下した水が前記壁面材の厚み方向において当該隙間から前記壁面材の裏面側へ流れ込むのを阻止する止水部材と、前記壁面材の下方において前記ベース部材と対向して設けられ、前記壁面材の表面に沿って流下する水を水切りするための水切部材と、を備え、前記水切部材は、前記ベース部材との間に、前記隙間から前記屋外開放空間へ通じる排水通路を形成していることを特徴とする。
【００１１】
本発明によれば、壁面材の中空部に入り込んだ水が中空部を通じて壁面材の下端面とベース部材の上面との間の隙間まで流下した場合に、その水が当該隙間から壁面材の厚み方向において当該壁面材の裏面側へとすなわち壁部の内部へと入り込むことが止水部材により阻止される。そして、当該隙間に流下した水は水切部材とベース部材との間に形成された排水通路を通じて屋外開放空間に排出される。これにより、壁面材の目地等に設けられた一次シールの劣化等によりそこから雨水等の水が浸入し壁面材の中空部に入り込んだ場合でも、その水が壁部の内部へ流れて建物内に浸入するのを防止することができる。
【００１２】
第２の発明の建物における壁排水構造は、第１の発明において、前記水切部材は、前記ベース部材の上面と前記壁面材の下端面との間の隙間に配設される被取付部を有しており、前記止水部材には、前記水切部材の前記被取付部を着脱可能に取り付けるための取付部が設けられていることを特徴とする。
【００１３】
本発明によれば、水切部材が止水部材に対して着脱可能に設けられているため、水切部材が劣化等した場合には容易に交換することができる。特に、水切部材について表面を壁面材の表面に沿って流下する水を水切りするために用い、裏面（内側面）を壁面材の中空部を通じて流下した水を排出する排水通路を形成するために用いる上記の構成では、水切部材が汚れたり劣化したりし易いため、交換の頻度が高まることが想定される。このため、水切部材を着脱可能とする利点は大きいといえる。
【００１４】
第３の発明の建物における壁排水構造は、第２の発明において、前記止水部材には、長手方向に沿って所定間隔で複数の前記取付部が設けられており、前記水切部材には、前記取付部の位置に対応させて前記被取付部が設けられており、前記中空部を通じて流下した水は前記複数の取付部の間を通じて前記排水通路へ導かれることを特徴とする。
【００１５】
壁面材の厚み方向において止水部材が壁面材の裏面側、水切部材が壁面材の表面側となるように並ぶ構成では、壁面材の中空部を通じて流下した水が水切部材の内側に形成された排水通路へ導かれるためには止水部材と水切部材との間を通過する必要がある。ここで、止水部材の取付部に水切部材の被取付部が着脱可能に取り付けられる構成では、取付部と被取付部とが、ひいては止水部材（止水部材側）と水切部材とが互いに接合し合うこととなる。そこで本発明では、取付部を止水部材の長手方向に沿って所定の間隔で複数設けることで、それら各取付部の間を通じて中空部を流下した水を排水通路へ導くようにしている。これにより、水切部材を止水部材に対して着脱可能としつつも、中空部を通じて流下した水を好適に屋外開放空間に排出することができる。
【００１６】
第４の発明の建物における壁排水構造は、第１乃至第３のいずれかの発明において、前記止水部材は、前記ベース部材の上面に当接されたベース当接部と、前記ベース当接部から上方に立ち上がるとともに、前記壁面材に当接された壁当接部を有する立ち上がり部と、を備え、前記壁当接部は、少なくとも一部が前記壁面材に対して前記中空部よりも当該壁面材の裏面側で当接されていることを特徴とする。
【００１７】
本発明によれば、止水部材のベース当接部がベース部材の上面に当接されているため、壁面材の中空部を通じて壁面材とベース部材との間の隙間に流下した水がベース当接部とベース部材との間を通じて壁部の内部へ流れ込むことが防止されている。また、止水部材の壁当接部の少なくとも一部が壁面材に対して中空部よりも当該壁面材の裏面側で当接されているため、当該隙間に流下した水が壁当接部と壁面材との間を通じて壁部の内部へ流れ込むことが防止されている。これにより、中空部を通じて流下した水の壁内部への浸入を具体的に阻止することができる。
【００１８】
第５の発明の建物における壁排水構造は、第４の発明において、前記水切部材は、前記ベース部材の上面と前記壁面材の下端面との間の隙間に入り込んで設けられた横板部を有し、前記ベース当接部は、前記立ち上がり部から前記屋外開放空間側に向かって延びその一部が前記横板部と上下に対向しており、その対向した部分と前記横板部との間が前記排水通路の一部となっていることを特徴とする。
【００１９】
本発明によれば、ベース当接部が立ち上がり部から屋外開放空間側に延びており、その一部が水切部材の横板部と対向している。この場合、ベース当接部のかかる対向部分と横板部との間に排水通路の一部が形成されるため、中空部を通じて流下した水は止水部材のベース当接部上で受け止められた後、そのベース当接部上を伝って流れることで自ずと排水通路へ導かれる。これにより、中空部に入り込んだ水を円滑に屋外開放空間へ排出することができる。
【００２０】
第６の発明の建物における壁排水構造は、第４又は第５の発明において、前記壁当接部は、前記壁面材の厚み方向に延び当該壁面材の下端面に沿って当接された壁下当接面部、及び、前記壁面材の高さ方向に延び当該壁面材の裏面に沿って当接された壁裏当接面部のうち少なくともいずれかを有していることを特徴とする。
【００２１】
壁面材とベース部材との間の隙間から屋外開放空間へ延びる排水通路を設けた上述の構成では、強風を伴う降雨があった場合に、雨水が屋外開放空間から当該隙間へと排水通路を通じて逆流するおそれがある。その場合、その逆流した雨水が当該隙間から止水部材の壁当接部と壁面材との間を通じて壁内部に浸入することが懸念される。そこで本発明では、この点に鑑みて、壁当接部に、壁面材の下端面に沿って当接される壁下当接面部、及び、壁面材の裏面に沿って当接される壁裏当接面部のうち少なくともいずれかを設けることとしている。これにより、壁当接部が壁面材の下端面及び裏面のうち少なくともいずれかに対して面同士で当接されるため、壁当接部と壁面材との間を通じて壁内部へ水が浸入するのを抑制することができる。
【００２２】
第７の発明の建物における壁排水構造は、第６の発明において、前記壁面材を下方から支持する壁支持部材を備え、前記止水部材は、前記壁当接部の一部であって前記壁下当接面部を上面とする壁下当接板部が前記壁面材の下端面と前記壁支持部材との間で挟み込まれることにより固定されていることを特徴とする。
【００２３】
本発明によれば、壁面材の下端面と壁支持部材との間に止水部材の一部である壁下当接板部が挟み込まれることにより当該止水部材が固定されているため、止水部材を固定するに際してビスや固定金具といった固定部材を不要とすることができる。そのため、構成の簡素化を図りながら第１の発明の効果を得ることができる。また、壁下当接板部は壁面材の自重によって壁面材の下端面と壁支持部材との間で挟み込まれるため、壁下当接面部と壁面材の下端面との間の密着度を高めることができる。これにより、壁面材の下端面と壁下当接面部との間を通じた壁部の内部への水の浸入を抑制する効果を高めることができる。
【００２４】
第８の発明の建物における壁排水構造は、第６又は第７の発明において、前記壁当接部は、前記壁裏当接面部を有していることを特徴とする。
【００２５】
壁面材の裏面における壁高さ方向の長さは、壁面材の下端面における壁厚み方向の長さよりも十分大きい。そこで、本発明では、止水部材の壁当接部に壁面材の裏面に沿って当接される壁裏当接面部を設けている。この場合、壁当接部と壁面材とが面同士で当接される当接面を広く確保することができるため、壁当接部と壁面材との間を通じた壁部の内部への水の浸入を好適に抑制することができる。
【００２６】
また、壁当接部に、壁下当接面部と壁裏当接面部との双方を連続させて設けてもよい。この場合、壁下当接面部と壁裏当接面部とは壁面材の角部に沿って直角をなして配置されるため、仮に壁下当接面部と壁面材の下端面との間を通じて水が壁部の内部へ向かって流れ込んだとしても、その流れを壁裏当接面部により遮断することができる。そのため、壁部の内部への水の浸入をさらに抑制することが可能となる。
【００２７】
第９の発明の建物における壁排水構造は、第１乃至第８のいずれかの発明において、前記排水通路には、当該排水通路の一部を閉塞する閉塞部材が設けられており、前記排水通路において前記閉塞部材が設けられていない部位を通じて水が排出されることを特徴とする。
【００２８】
本発明によれば、排水通路の一部が閉塞部材により閉塞されているため、強風を伴った降雨があった場合に、排水通路を通じて屋外開放空間側から水が逆流するのを抑制することができる。これにより、逆流した水が止水部材と壁面材との間、又は止水部材とベース部材との間から壁部の内部へ浸入するのを抑制することができる。また、このように排水通路に閉塞部材を設けながらも、壁面材の中空部を通じて流下した水は排水通路において閉塞部材が設けられていない部分を通じて排出されるため、建物内への水の浸入を防止することができる。
【図面の簡単な説明】
【００２９】
【図１】建物の概略を示す縦断面図。
【図２】バルコニー腰壁部及びその周辺の構成を示す縦断面図。
【図３】壁排水構造を拡大して示す縦断面図。
【図４】止水役物の変形例を示す縦断面図。
【図５】外壁部における壁排水構造を示す縦断面図。
【発明を実施するための形態】
【００３０】
以下に、本発明を具体化した一実施の形態について図面を参照しつつ説明する。なお、図１は建物の概略を示す縦断面図である。
【００３１】
図１に示すように、建物１０は、建物本体１１と、その建物本体１１の上方に形成された屋根１２とを備えている。建物本体１１は、一階部分１３と二階部分１４とを有してなる二階建て建物である。建物１０の一階部分１３には第一居室１５等が形成され、二階部分１４には第二居室１６等が形成されている。
【００３２】
建物１０の二階部分１４には、バルコニー２０が設けられている。バルコニー２０は、第二居室１６と隣接して設けられており、外壁部１７により第二居室１６と仕切られている。外壁部１７には、バルコニー２０へ出入りするための窓部（例えば掃き出し窓）１８が設けられ、窓部１８には当該窓部１８を開閉するガラス戸１９が設けられている。
【００３３】
バルコニー２０は、バルコニー床部２１と、当該バルコニー床部２１を外壁部１７とともに囲むように立設されるバルコニー腰壁部２２とを備えている。この場合、バルコニー床部２１とバルコニー腰壁部２２と外壁部１７とにより囲まれる空間がバルコニー空間ＢＳとなっている。なおここで、バルコニー空間ＢＳが屋外開放空間に相当し、バルコニー腰壁部２２と外壁部１７とが屋外開放空間を囲んで設けられる壁部に相当する。
【００３４】
次に、バルコニー腰壁部２２及びその周辺の構成について図２に基づいて説明する。なお、図２はバルコニー腰壁部２２及びその周辺の構成を示す縦断面図である。また、図２では、外壁部１７（窓部１８）と対面して設けられたバルコニー腰壁部２２を図示している。
【００３５】
図２に示すように、バルコニー床部２１の下方には、当該バルコニー床部２１（ひいてはバルコニー２０）を下方から支持するバルコニー床梁２５が設けられている。バルコニー床梁は、Ｈ形鋼により構成されており、バルコニー腰壁部２２に沿って延びるように設けられている。バルコニー床梁２５の上面には、ＡＬＣ床等からなる床下地材２６が設けられ、床下地材２６上には発砲ポリスチレン樹脂等からなる断熱材２７が敷設されている。また、断熱材２７上には、耐水皮膜（例えば塩化ビニル膜）が施された鋼板よりなる防水板２８が敷設されている。
【００３６】
バルコニー床梁２５上には、バルコニー床部２１の他にバルコニー腰壁部２２が設けられている。バルコニー腰壁部２２は、壁下地材としての腰壁フレーム３１と、腰壁フレーム３１の外側（バルコニー空間ＢＳとは反対側）に設けられた外側壁面材３２と、腰壁フレーム３１のバルコニー空間ＢＳ側に設けられた内側壁面材３３とを備える。この場合、外側壁面材３２の表面３２ａにより外壁面が形成され、内側壁面材３３の表面３３ａによりバルコニー空間ＢＳ側の壁面が形成されている。
【００３７】
腰壁フレーム３１は、バルコニー腰壁部２２の幅方向に所定間隔で立設された複数の腰壁支柱３５と、それら各腰壁支柱３５の間に跨がって設けられた複数の横フレーム材３６〜３９とを備える。腰壁フレーム３１は、それら腰壁支柱３５と横フレーム材３６とが互いに連結されることにより構成されている。
【００３８】
腰壁支柱３５は、断面コ字状の軽量鉄骨材よりなる。腰壁支柱３５の下端部には柱脚プレート４２が固定されており、その柱脚プレート４２はバルコニー床梁２５の上面にボルト４７及びナット４８を用いて固定されている。これにより、腰壁支柱３５ひいては腰壁フレーム３１がバルコニー床梁２５に対して固定されている。
【００３９】
横フレーム材３６〜３９としては、腰壁支柱３５の外側において外側壁面材３２の上下端部に対応させて設けられた一対の外側横フレーム材３６，３７と、腰壁支柱３５のバルコニー空間ＢＳ側において内側壁面材３３の上下端部に対応させて設けられた一対の内側横フレーム材３８，３９とを備える。これら各フレーム材３６〜３９はいずれも断面Ｌ字状の板金部材により形成されている。
【００４０】
外側横フレーム材３６，３７は、腰壁支柱３５の外側面（バルコニー空間ＢＳ側とは反対側の面）に固定された固定板部３６ａ，３７ａと、固定板部３６ａ，３７ａにおいて互いに反対側となる端部からそれぞれバルコニー空間ＢＳとは反対側に延びて外側壁面材３２を挟んで上下に対向する水平板部３６ｂ，３７ｂとを備える。内側横フレーム材３８，３９は、腰壁支柱３５のバルコニー空間ＢＳ側の面に固定された固定板部３８ａ，３９ａと、固定板部３８ａ，３９ａにおいて互いに反対側となる端部からそれぞれバルコニー空間ＢＳ側に延びて内側壁面材３３を挟んで上下に対向する水平板部３８ｂ，３９ｂとを備える。
【００４１】
外側壁面材３２と内側壁面材３３とはそれぞれ窯業系サイディングにより構成されている。これら各壁面材３２，３３は、その内部に上下方向全域に亘って延びる複数の中空部３２ｂ，３３ｂを有している。複数の中空部３２ｂ，３３ｂは、壁面材３２，３３の幅方向に沿って所定の間隔で配置されている。
【００４２】
外側壁面材３２は、その下端面が外側横フレーム材３７の水平板部３７ｂ上に載置された状態で腰壁フレーム３１に上下一対の固定金具４３，４４を介して固定されている。各固定金具４３，４４はそれぞれ、鋼板が段曲げされることにより形成されている。各固定金具４３，４４のうち上側の固定金具４３は、外側壁面材３２の裏面と外側横フレーム材３６の固定板部３６ａの裏面とに跨がって設けられ、それら各裏面にそれぞれボルト等で固定されている。また、下側の固定金具４４は、外側壁面材３２の裏面と外側横フレーム材３７の固定板部３７ａの裏面とに跨がって設けられ、それら各裏面にそれぞれボルト等で固定されている。これにより、外側壁面材３２が各固定金具４３，４４を介して腰壁フレーム３１に固定されている。
【００４３】
なお、外側壁面材３２の下方には、一階部分１３の外壁面材５７が設けられており、外側壁面材３２と外壁面材５７との間の目地（横目地）には不定形シールよりなるシール材５８が設けられている。
【００４４】
内側壁面材３３は、その下端面が内側横フレーム材３９の水平板部３９ｂ上に載置された状態で腰壁フレーム３１に上下一対の固定金具４５，４６を介して固定されている。各固定金具４５，４６は上記の固定金具４３，４４と同じ構成を有している。上側の固定金具４５は、内側壁面材３３の裏面と内側横フレーム材３８の固定板部３８ａの裏面とに跨がって設けられ、それら各裏面にそれぞれボルト等で固定されている。また、下側の固定金具４６は、内側壁面材３３の裏面と内側横フレーム材３９の固定板部３９ａの裏面とに跨がって設けられ、それら各裏面にそれぞれボルト等で固定されている。これにより、内側壁面材３３が各固定金具４５，４６を介して腰壁フレーム３１に固定されている。
【００４５】
また、図示は省略するが、外側壁面材３２と内側壁面材３３とはそれぞれ横並びに複数ずつ設けられており、隣接する外側壁面材３２同士の間の目地（縦目地）、及び、隣接する内側壁面材３３同士の間の目地（縦目地）にはそれぞれ不定形シールよりなるシール材が充填されている。これにより、目地を通じて雨水がバルコニー腰壁部２２の内部に浸入することが防止されている。
【００４６】
外側壁面材３２の上端面と外側横フレーム材３６の水平板部３６ｂとの間の隙間４９には不定形シールよりなるシール材５１が設けられ、内側壁面材３３の上端面と内側横フレーム材３８の水平板部３８ｂとの間の隙間５０には同じく不定形シールよりなるシール材５２が設けられている。シール材５１は、隙間４９において中空部３２ｂよりも屋外側に配置され、シール材５２は、隙間５０において中空部３３ｂよりもバルコニー空間ＢＳ側に配置されている。これにより、上記各隙間４９，５０を通じて雨水がバルコニー腰壁部２２の内部へ浸入するのが防止されている。
【００４７】
内側壁面材３３の下方には、ベースフレーム４０が設けられている。ベースフレーム４０は、断面コ字状をなす溝形鋼よりなり、内側壁面材３３の幅方向に沿って延びるように形成されている。ベースフレーム４０は、上下方向に延びるウェブ部４０ａと、ウェブ部４０ａの上下両端部からそれぞれ腰壁フレーム３１側に延びる一対のフランジ部４０ｂ，４０ｃとを有している。ベースフレーム４０の各フランジ部４０ｂ，４０ｃの端部は腰壁フレーム３１の各腰壁支柱３５に溶接により固定されている。また、ベースフレーム４０の上面（上フランジ部４０ｂの上面）は、内側壁面材３３の下端面と所定の隙間６７を隔てて上下に対向している。なおここで、ベースフレーム４０がベース部材に相当し、当該ベースフレーム４０によりバルコニー腰壁部２２の一部が構成されている。
【００４８】
ベースフレーム４０のウェブ部４０ａの外側面（バルコニー空間ＢＳ側の面）には、防水板２８の一部が重ね合わせられている。防水板２８は、断熱材２７上に敷設されてバルコニー空間ＢＳの床面を形成する床板部２８ａと、床板部２８ａにおけるバルコニー腰壁部２２側の端部から上方に立ち上がりウェブ部４０ａの外側面に重ね合わせられた立ち上がり部２８ｂとを有している。この場合、雨水等の水がバルコニー床部２１とバルコニー腰壁部２２との間の角部を通じて第一居室１５等に流れ込むのが防止されている。また、立ち上がり部２８ｂはウェブ部４０ａの上端部まで延びている。
【００４９】
なお、このように、ベースフレーム４０が防水板２８の立ち上がり部２８ｂの下地として用いられている点からすれば、ベースフレーム４０を防水下地材ということもできる。
【００５０】
腰壁フレーム３１の上端部には笠木ホルダ５３が取り付けられている。笠木ホルダ５３は、各横フレーム材３６，３８の水平板部３６ｂ，３８ｂ上に跨がって設けられ、それら各水平板部３６ｂ，３８ｂにボルト５５により固定されている。笠木ホルダ５３には笠木５４が取り付けられている。笠木５４は、腰壁フレーム３１と各壁面材３２，３３とをそれぞれ上方から覆うように設けられている。なお、図示は省略するものの、笠木ホルダ５３と各横フレーム材３６，３８の水平板部３６ｂ，３８ｂとの間には防水シートが挟み込まれ、これら両部材５３，３６（３８）の間を通じて雨水がバルコニー腰壁部２２の内側へ浸入するのが防止されている。
【００５１】
ところで、上述の構成において、内側壁面材３３の上端部と内側横フレーム材３８（３８ｂ）との隙間５０に設けられたシール材５２が劣化等してそこから雨水が隙間５０に浸入した場合には、その水が隙間５０を通じて内側壁面材３３の中空部３３ｂに入り込む可能性がある。その場合、その水は中空部３３ｂを通じて内側壁面材３３の下端面とベースフレーム４０の上面との間の隙間６７まで流下し、その後腰壁フレーム３１側へと流れるおそれがある。そうなると、その水が腰壁フレーム３１から第一居室１５の方に流れ落ちて、第一居室１５が濡れるといった問題が生じることが懸念される。そこで、本実施形態では、この点に鑑みて、中空部３３ｂに入り込んだ水をバルコニー空間ＢＳへ排出するための壁排水構造を水切部材６０等を用いて構築している。以下、かかる壁排水構造について図３に基づいて説明する。なお、図３は、壁排水構造を拡大して示す縦断面図である。
【００５２】
図３に示すように、内側壁面材３３の下方には水切部材６０が設けられている。水切部材６０は、バルコニー腰壁部２２（内側壁面材３３）の幅方向に延びる長尺状をなしており、例えばアルミニウム製の押し出し成形品からなる。水切部材６０は、内側壁面材３３の下方において複数の内側壁面材３３に跨がって設けられている。また、水切部材６０は、その横断面形状が長手方向全域において同一となっている。
【００５３】
水切部材６０は、上下方向に延びる水切板部６１と、水切板部６１の上端部から腰壁フレーム３１側に延びる横板部６２とを有している。水切部材６０において水切板部６１がベースフレーム４０のウェブ部４０ａに対向しており、横板部６２がベースフレーム４０の上フランジ部４０ｂに対向している。
【００５４】
水切板部６１は、バルコニー空間ＢＳに面した水切面６１ａを有している。水切面６１ａは、内側壁面材３３の表面３３ａと略同一平面上に位置している。この水切面６１ａによって内側壁面材３３の表面３３ａに沿って流下する雨水がベースフレーム４０よりもバルコニー空間ＢＳ側に導かれる。
【００５５】
水切部材６０とベースフレーム４０との間には排水通路６５が形成されている。排水通路６５は、内側壁面材３３とベースフレーム４０との間の隙間６７からバルコニー空間ＢＳへと通じており、水切部材６０の内側面に沿ってＬ字状に延びている。水切板部６１の下端部とベースフレーム４０のウェブ部４０ａ（詳しくは防水板２８の立ち上がり部２８ｂ）との間は６５の排出口６５ａとなっている。この排出口６５ａを介して６５はバルコニー空間ＢＳに下向きに開口されている。
【００５６】
水切部材６０の背面側には、止水部材としての止水役物７０が設けられている。止水役物７０は、内側壁面材３３の幅方向に延びる長尺状をなしており、横並びに設けられた複数の内側壁面材３３に跨がって延びている。止水役物７０は、鋼板が折り曲げ形成されてなるものであり、具体的にはベースフレーム４０（詳しくは上フランジ部４０ｂ）の上面に当接されたベース当接板部７０ａと、ベース当接板部７０ａの腰壁フレーム３１側（バルコニー空間ＢＳとは反対側）の端部から上方に延びる縦板部７０ｂと、縦板部７０ｂの上端部から腰壁フレーム３１側に延びるとともに内側壁面材３３の下端面に当接された壁下当接板部７０ｃと、壁下当接板部７０ｃの腰壁フレーム３１側の端部から上方に延びるとともに内側壁面材３３の裏面に当接された壁裏当接板部７０ｄとを有する。
【００５７】
ベース当接板部７０ａは、バルコニー空間ＢＳ側の端部が防水板２８の立ち上がり部２８ｂの上端部と当接している。これにより、ベース当接板部７０ａと立ち上がり部２８ｂとが連続しており、ひいては止水役物７０と防水板２８とが連続している。また、ベース当接板部７０ａの一部は水切部材６０の横板部６２と上下に対向しており、当該横板部６２との間に排水通路６５の一部を形成している。
【００５８】
縦板部７０ｂは、内側壁面材３３とベースフレーム４０との間の隙間６７において当該隙間６７の高さ方向全域に亘って延びている。縦板部７０ｂは、内側壁面材３３の厚み方向において中空部３３ｂの中間位置に位置しており、詳しくは中空部３３ｂの略中央に位置している。また、縦板部７０ｂは、水切部材６０の横板部６２よりも腰壁フレーム３１側に設けられており、当該横板部６２に対して離間された状態で配置されている。
【００５９】
壁下当接板部７０ｃは、内側壁面材３３の下端面と内側横フレーム材３９の水平板部３９ｂとの間に挟み込まれた状態で設けられている。この場合、壁下当接板部７０ｃは、内側壁面材３３の自重によって当該内側壁面材３３の下端面と水平板部３９ｂとの間に挟み込まれており、その挟み込みによって壁下当接板部７０ｃひいては止水役物７０が固定されている。なおここで、内側横フレーム材３９が壁支持部材に相当する。
【００６０】
また、壁下当接板部７０ｃは、バルコニー空間ＢＳ側の端部（換言すると、縦板部７０ｂとの連結部）が内側壁面材３３の厚み方向（以下、場合によって壁厚み方向という）において中空部３３ｂの中間部詳しくは中央部に位置している。したがって、壁下当接板部７０ｃにより中空部３３ｂの一部が下方から塞がれた状態となっている。換言すると、壁下当接板部７０ｃ（ひいては壁当接部）は、中空部３３ｂの少なくとも一部を下方に開放させた状態で内側壁面材３３に当接されている。なお、このように中空部３３ｂの一部が塞がれていたとしても、シール材５２が劣化等してそこから隙間５０に浸入し中空部３３ｂに入り込む雨水の量はそれほど多いものではないため、中空部３３ｂに入り込んだ水を排出する上で特に支障はない。
【００６１】
ここで、壁厚み方向において縦板部７０ｂを中空部３３ｂよりも腰壁フレーム３１側に配置することで、壁下当接板部７０ｃにおけるバルコニー空間ＢＳ側の端部を中空部３３ｂよりも腰壁フレーム３１側に位置させることも考えられる。しかしながら、その場合壁下当接板部７０ｃの壁厚み方向の長さが短くなってしまい、内側壁面材３３と内側横フレーム材３９との間に挟み込まれる挟み込み代を十分に確保することが困難となる。この点、壁下当接板部７０ｃを壁厚み方向において一部中空部３３ｂと重複するように形成した上記の構成によれば、その重複する分壁下当接板部７０ｃの壁厚み方向の長さを長くできるため、十分な挟み込み代を確保することができ、壁下当接板部７０ｃを安定した状態で固定することが可能となる。
【００６２】
壁裏当接板部７０ｄは、内側横フレーム材３９の固定板部３９ａと内側壁面材３３の裏面との間に挟み込まれた状態で設けられている。この場合、壁裏当接板部７０ｄは、内側壁面材３３の裏面に密着された状態で当接されている。壁裏当接板部７０ｄは、その上下方向の長さが壁下当接板部７０ｃの壁厚み方向の長さよりも長くなっており、また固定板部３９ａの上下長さよりも長くなっている。
【００６３】
なお、上記の止水役物７０において、ベース当接板部７０ａがベース当接部に相当し、壁下当接板部７０ｃにおいて内側壁面材３３の下端面に当接された面（すなわち上面）が壁下当接面部に相当し、壁裏当接板部７０ｄにおいて内側壁面材３３の裏面に当接された面が壁裏当接面部に相当する。また、壁下当接板部７０ｃと壁裏当接板部７０ｄとにより壁当接部が構成されている。さらに、縦板部７０ｂ、壁下当接板部７０ｃ及び壁裏当接板部７０ｄにより立ち上がり部が構成されている。
【００６４】
図３（ａ）に示すように、止水役物７０には、水切部材６０が着脱可能に取り付けられている。止水役物７０の縦板部７０ｂには水切部材６０を着脱可能に取り付けるためのピース部材７５が固定されている。なおここで、ピース部材７５が取付部に相当する。ピース部材７５は、水切部材６０及び止水役物７０と比べて短尺状に形成されており、例えばその横幅（止水役物７０の長手方向の長さ）が５０ｍｍとなっている。ピース部材７５は、止水役物７０の長手方向に沿って所定の間隔で複数箇所に設けられている。なお、図３では、（ａ）がピース部材７５が配置されている部位における縦断面図、（ｂ）がピース部材７５が配置されていない部位における縦断面図となっている。
【００６５】
ピース部材７５は、縦板部７０ｂのバルコニー空間ＢＳ側の面にリベット７９により固定された固定板部７６と、その固定板部７６に設けられた挟持部７７とを有する。挟持部７７は、固定板部７６からバルコニー空間ＢＳ側に向けて延びる上下一対の挟持板部７７ａ，７７ｂを有している。なお、リベット７９には防水処理が施されており、リベット７９周りから水が縦板部７０ｂよりも腰壁フレーム３１側へ入り込むことが防止されている。
【００６６】
一方、水切部材６０には、ピース部材７５に着脱可能に取り付けられる被取付部８１が設けられている。被取付部８１は、横板部６２において腰壁フレーム３１側の端部付近に設けられ、内側壁面材３３とベースフレーム４０との間の隙間６７に配置されている。また、被取付部８１は横板部６２の上面側に設けられており、横板部６２の上面と内側壁面材３３の下端面との間を塞ぐように配設されている。
【００６７】
被取付部８１は、腰壁フレーム３１側に向かって延びる被挟持部８２を有している。被挟持部８２は、その一部が横板部６２よりも腰壁フレーム３１側に延びており、止水役物７０の各挟持板部７７ａ，７７ｂの間に入り込んで各挟持板部７７ａ，７７ｂにより挟持されている。より詳しくは、被挟持部８２は、その端部に上方に起立する起立板部８２ａを有しており、その起立板部８２ａが各挟持板部７７ａ，７７ｂの間に入り込んだ状態で嵌合されている。そして、かかる挟持（嵌合）によって被取付部８１ひいては水切部材６０がピース部材７５に対して着脱可能に取り付けられている。これにより、施工時には水切部材６０の取付作業を容易に行うことができる。
【００６８】
水切部材６０がピース部材７５に取り付けられた状態では、止水役物７０の縦板部７０ｂと水切部材６０とが壁厚み方向に互いに離間された状態で配置されている。この場合、図３（ｂ）に示すように、止水役物７０の長手方向においてピース部材７５が配置されていない部位では、互いに離間された縦板部７０ｂと水切部材６０との間、詳しくは縦板部７０ｂと被取付部８１（より詳しくは被挟持部８２）との間に所定の隙間８８が形成されている。つまり止水役物７０の長手方向で見ると、この隙間８８は各ピース部材７５の間に形成されている。この場合、内側壁面材３３の中空部３３ｂを通じて流下した水はこの隙間８８を通じて６５へと導かれる。
【００６９】
水切部材６０の横板部６２と内側壁面材３３の下端面との間の隙間には当該隙間を塞ぐシール部材８３が設けられている。シール部材８３は、当該隙間において被取付部８１よりもバルコニー空間ＢＳ側に配置され、被取付部８１の有する当て部８４にバルコニー空間ＢＳ側から当てられた状態で配置されている。シール部材８３は、水切部材６０の長手方向に沿って長尺状に形成され、横板部６２の上面に接着により固定されている。
【００７０】
排水通路６５には、当該通路６５の一部を閉塞する閉塞部材８５，８６が設けられている。閉塞部材８５，８６は、排水通路６５において水が流れる方向、すなわち当該排水通路６５が内側壁面材３３とベースフレーム４０との間の隙間６７からバルコニー空間ＢＳへと延びる方向（通路延在方向）に沿って所定の間隔で複数箇所（本実施形態では２箇所）に設けられている。各閉塞部材８５，８６は、ＥＰＤＭ等のゴム材よりなる。各閉塞部材８５，８６は、水切部材６０の長手方向に沿って長尺状に形成されており、その横断面が矩形形状をなしている。また、各閉塞部材８５，８６はそれぞれ長手方向に沿って所定の間隔で複数ずつ並べられている。排水通路６５では、これら隣り合う閉塞部材８５同士の間、及び、隣り合う閉塞部材８６同士の間を通じて水が流れる。
【００７１】
閉塞部材８５は、排水通路６５において水切部材６０の横板部６２と止水役物７０のベース当接板部７０ａとの間に配置され、それら横板部６２とベース当接板部７０ａとに跨がって設けられている。また、閉塞部材８６は、排水通路６５において水切部材６０の水切板部６１と防水板２８の立ち上がり部２８ｂとの間に配置され、それら水切板部６１と立ち上がり部２８ｂとに跨がって設けられている。この場合、水切部材６０をベースフレーム４０に対して排水通路６５を隔てて設置する構成にあって、水切部材６０を安定した状態で設置することができる。
【００７２】
また、各閉塞部材８５，８６は、水切部材６０の裏面に接着により固定されている。そのため、施工時には水切部材６０をピース部材７５に取り付けるだけで、各閉塞部材８５，８６を排水通路６５に配設することができる。また、閉塞部材８５はベースフレーム４０上、詳しくは止水役物７０のベース当接板部７０ａの上面に設けられているため、水切部材６０をピース部材７５に着脱する際には閉塞部材８５をベースフレーム４０上に沿ってスライドさせながら着脱を行える。そのため、水切部材６０の着脱作業を容易にすることができる。
【００７３】
なお、排水通路６５において閉塞部材８５，８６を通路延在方向に沿って３つ以上の箇所に設けてもよいし１箇所にのみ設けてもよい。また、閉塞部材８５，８６は必ずしも柔軟性を有するゴム材により形成する必要はなく、木材や金属材料等の硬質材料により形成してもよい。さらには、各閉塞部材８５，８６を排水通路６５に設けないようにしてもよい。
【００７４】
次に、上記壁排水構造の作用について図３（ｂ）を参照しながら説明する。なお、図３（ｂ）では、内側壁面材３３の中空部３３ｂに入り込んだ水が壁排水構造を通じて排出されるまでの流れを点線矢印で示している。
【００７５】
バルコニー腰壁部２２において内側壁面材３３の上端面と内側横フレーム材３８（水平板部３８ｂ）との間の隙間５０に設けられたシール材５２が劣化等してそこから雨水が隙間５０に浸入した場合には、その雨水が内側壁面材３３の中空部３３ｂに入り込んでしまうことが考えられる。その場合、その水は、図３（ｂ）に示すように、中空部３３ｂを通じて内側壁面材３３とベースフレーム４０との間の隙間６７まで流下することとなる。隙間６７に達した水は止水役物７０の縦板部７０ｂと水切部材６０の被取付部８１との間の隙間８８を通じて止水役物７０のベース当接板部７０ａ上まで流れ落ち同当接板部７０ａ上で受け止められ、その後ベース当接板部７０ａ上を伝ってバルコニー空間ＢＳ側へすなわち排水通路６５の方へと流れる。詳しくは、ベース当接板部７０ａ上で受け止められた水は縦板部７０ｂ及び壁下当接板部７０ｃによって腰壁フレーム３１側すなわちバルコニー腰壁部２２内部への流れ込みが防止されているため、その結果水が排水通路６５の方へ流れることとなる。そして、その水は排水通路６５を流れて排出口６５ａよりバルコニー空間ＢＳへ排出される。このようにして、上記の壁排水構造では、内側壁面材３３の中空部３３ｂに入り込んだ水をバルコニー腰壁部２２内部に入り込ませることなくバルコニー空間ＢＳへ排出できるようになっている。
【００７６】
以上、詳述した本実施形態の構成によれば、以下の優れた効果が得られる。
【００７７】
バルコニー腰壁部２２に止水役物７０を設けたため、内側壁面材３３の中空部３３ｂを通じて内側壁面材３３の下端面とベースフレーム４０の上面との間の隙間６７に流下した水が内側壁面材３３の厚み方向において腰壁フレーム３１側（換言すると内側壁面材３３の裏面側）すなわちバルコニー腰壁部２２の内部に浸入するのを阻止することができる。また、内側壁面材３３の下方にベースフレーム４０に対向させて水切部材６０を設け、水切部材６０とベースフレーム４０との間に上記隙間６７からバルコニー空間ＢＳへ通じる排水通路６５を形成した。そのため、上記隙間６７に流下した水を排水通路６５を通じてバルコニー空間ＢＳへ排出することができる。これにより、内側壁面材３３の上端面と内側横フレーム材３８との隙間５０に設けられたシール材５２が劣化等してそこから雨水が隙間５０に浸入し中空部３３ｂに入り込んだ場合でも、その雨水が建物１０内例えば第一居室１５に浸入するのを防止することができる。
【００７８】
止水役物７０を、ベースフレーム４０の上面に当接されるベース当接板部７０ａと、ベース当接板部７０ａの腰壁フレーム３１側の端部から上方に立ち上がる縦板部７０ｂと、縦板部７０ｂの上端部から腰壁フレーム３１側に延びて内側壁面材３３の下端面に沿って当接された壁下当接板部７０ｃとを備えて構成した。そして、壁下当接板部７０ｃについてはその一部を内側壁面材３３の下端面において中空部３３ｂよりも腰壁フレーム３１側で当接させた。この場合、中空部３３ｂを通じて隙間６７に流下した水がベース当接板部７０ａとベースフレーム４０の上面との間を通じてバルコニー腰壁部２２の内部に浸入するのを防止することができる。また、壁下当接板部７０ｃと内側壁面材３３の下端面との間を通じてバルコニー腰壁部２２の内部に浸入するのを防止することができる。これにより、中空部３３ｂを通じて流下した水がバルコニー腰壁部２２の内部へ浸入するのを具体的に阻止することができる。
【００７９】
また、ベース当接板部７０ａは壁厚み方向に延びてベースフレーム４０の上面に沿って当接されており、壁下当接板部７０ｃは壁厚み方向に延びて内側壁面材３３の下端面に沿って当接されているため、ベース当接板部７０ａとベースフレーム４０の上面とが面同士で当接され、壁下当接板部７０ｃと内側壁面材３３の下端面とが面同士で当接されている。これにより、強風を伴う降雨があった場合に排水通路６５を通じて雨水が逆流しても、その逆流した雨水がベース当接板部７０ａとベースフレーム４０との間、又は、壁下当接板部７０ｃと内側壁面材３３との間を通じてバルコニー腰壁部２２の内部に浸入するのを抑制することができる。
【００８０】
壁下当接板部７０ｃを、内側壁面材３３を下方から支持する内側横フレーム材３９と内側壁面材３３の下端面との間に挟み込むことにより固定した。この場合、止水役物７０を固定するに際してビスや固定金具といった固定部材を不要とすることができるため、構成の簡素化を図ることが可能となる。また、壁下当接板部７０ｃは、内側壁面材３３の自重により当該内側壁面材３３の下端面と内側横フレーム材３９との間に挟み込まれるため、壁下当接板部７０ｃ（の上面）と内側壁面材３３の下端面との密着度を高めることができる。これにより、内側壁面材３３の下端面と壁下当接板部７０ｃとの間を通じたバルコニー腰壁部２２内部への水の浸入を抑制する効果を高めることができる。
【００８１】
止水役物７０に、内側壁面材３３の高さ方向に延びて当該壁面材３３の裏面に沿って当接された壁裏当接板部７０ｄを設けた。内側壁面材３３の裏面における壁高さ方向の長さは、内側壁面材３３の下端面における壁厚み方向の長さよりも十分大きいため、この場合内側壁面材３３と止水役物７０とが面同士で当接される当接面を広く確保することができる。そのため、止水役物７０と内側壁面材３３との間を通じたバルコニー腰壁部２２内部への水の浸入を好適に抑制することができる。
【００８２】
壁下当接板部７０ｃと壁裏当接板部７０ｄとを連続させて設けたため、仮に壁下当接板部７０ｃと内側壁面材３３の下端面との間を通じて水が腰壁フレーム３１側に流れ込んだとしてもその流れを壁裏当接板部７０ｄにより遮断することができる。これにより、バルコニー腰壁部２２内部への水の浸入をさらに抑制することが可能となる。
【００８３】
また、壁裏当接板部７０ｄを有する止水役物７０を、横並びに設けられた複数の内側壁面材３３に跨がるように設けたため、隣り合う内側壁面材３３の間の目地（縦目地）に設けられたシール材が劣化等してそこから雨水が目地に浸入した場合に、その目地に沿って流下する水を止水役物７０により受け止めるとともにその受け止めた水が腰壁フレーム３１側に流れ込むのを壁裏当接板部７０ｄにより防止することができる。そのため、結果としてその水を排水通路６５を通じてバルコニー空間ＢＳに排出することができる。よって、この場合中空部３３ｂに入り込んだ水のみならず内側壁面材３３の目地内に浸入した水についても建物１０内に浸入するのを防止することができる。
【００８４】
水切部材６０を、上下方向に延びる水切板部６１と、水切板部６１から内側壁面材３３とベースフレーム４０との間の隙間６７に向かって延び当該隙間６７に一部が入り込んだ横板部６２と、を有して構成した。そして、止水役物７０のベース当接板部７０ａを縦板部７０ｂからバルコニー空間ＢＳ側に向かって延びるように形成し、その一部を横板部６２と上下に対向させることで、その対向部分と横板部６２との間を排水通路６５の一部とした。この場合、内側壁面材３３の中空部３３ｂを通じて流下した水は止水役物７０の縦板部７０ｂの外側面（バルコニー空間ＢＳ側の面）及びベース当接板部７０ａの上面を伝って流れることで自ずと排水通路６５へと導かれる。これにより、中空部３３ｂを通じて流下した水を円滑にバルコニー空間ＢＳへ排出することができる。
【００８５】
水切部材６０の横板部６２に被取付部８１を設ける一方、止水役物７０には被取付部８１を着脱可能に取り付けるためのピース部材７５を設けた。これにより、水切部材６０が劣化等した場合には容易に交換することができる。特に、水切部材６０について表面を内側壁面材３３の表面３３ａに沿って流下する水を水切りするために用い、裏面を排水通路６５を形成するために用いる構成では、水切部材６０が汚れたり劣化したりし易いため、水切部材６０の交換頻度が高まることが想定される。このため、水切部材６０を着脱可能とする利点は大きいといえる。
【００８６】
ピース部材７５を、止水役物７０の長手方向に所定の間隔で複数設け、それら各ピース部材７５に対して水切部材６０の被取付部８１を着脱可能に取り付けた。そして、中空部３３ｂを通じて流下した水を各ピース部材７５の間を通じて排水通路６５へ導くようにした。内側壁面材３３の厚み方向において止水役物７０が腰壁フレーム３１側（内側壁面材３３の裏面側）、水切部材６０がバルコニー空間ＢＳ側（内側壁面材３３の表面側）となるように並ぶ構成では、内側壁面材３３の中空部３３ｂを通じて流下した水が水切部材６０の内側に形成された排水通路６５へ導かれるためには止水役物７０と水切部材６０との間を通過する必要がある。ここで、止水役物７０に設けたピース部材７５に水切部材６０の被取付部８１が着脱可能に取り付けられる構成では、ピース部材７５と被取付部８１とが、ひいては止水役物７０側と水切部材６０とが互いに接合し合うこととなる。この点、複数のピース部材７５を間隔を隔てて配置することで、中空部３３ｂを流下した水を各ピース部材７５の間を通じて排水通路６５へ導くようにしたため、水切部材６０を止水役物７０に対し着脱可能としつつも、中空部３３ｂに入り込んだ水を好適にバルコニー空間ＢＳに排出することができる。
【００８７】
排水通路６５に、同通路６５の一部を閉塞する閉塞部材８５，８６を設けた。これにより、強風を伴った降雨があった場合には排水通路６５を通じて水が逆流するのを抑制することができる。そのため、逆流した水が止水役物７０と内側壁面材３３との間、又は、止水役物７０とベースフレーム４０との間からバルコニー腰壁部２２内部に浸入するのを抑制することができる。また、排水通路６５において閉塞部材８５，８６が設けられていない部位を通じて水を排出するようにしたため、かかる閉塞部材８５．８６を設けながらも、中空部３３ｂに入り込んだ水が建物１０内に入り込むのを防止することができる。
【００８８】
水切部材６０の裏面に閉塞部材８５，８６を設け、その閉塞部材８５，８６をベースフレーム４０側に当接させて配置したため、水切部材６０をベースフレーム４０に対して排水通路６５を隔てて設置する構成において当該水切部材６０を安定した状態で設置することができる。これにより、強風時に水切部材６０が傾く等して排水通路６５が閉鎖したり狭まったりする不都合を抑制することができる。また、強風時には水切部材６０がばたつくことも考えられるが、閉塞部材８５，８６をゴム材すなわち緩衝部材により構成したため、かかる水切部材６０のばたつきを抑えることができる。
【００８９】
水切部材６０に、内側壁面材３３とベースフレーム４０との間の隙間６７に入り込む横板部６２を設け、その横板部６２と内側壁面材３３の下端面との間の隙間をシール部材８３により閉塞した。これにより、強風を伴う降雨があった場合に、横板部６２と内側壁面材３３の下端面との間の隙間から直接隙間６７に雨水が入り込むのを防止することができる。すなわち、この場合、隙間６７への雨水の入り込みは排水通路６５を通じてのみ行われることとなるため、隙間６７への雨水の入り込みに伴いその入り込んだ雨水が止水役物７０と内側壁面材３３との間を通じてバルコニー腰壁部２２内部に浸入するのを抑制することができる。また、排水通路６５を通じて雨水が隙間６７に入り込む場合には、直接隙間６７に入り込む場合と比べて、雨水の勢いを低減させることができるため、この点からもバルコニー腰壁部２２内部への雨水の浸入を抑制することができる。
【００９０】
水切部材６０を用いて壁排水構造を構築したことで、バルコニー腰壁部２２下部の意匠性向上を図りつつ、建物１０内への水の浸入を防止することができる。
【００９１】
第一居室１５（ひいては一階部分１３の屋内空間）上方のバルコニー空間ＢＳに面して設けられた内側壁面材３３に壁排水構造を構築した。内側壁面材３３の中空部３３ｂを通じてベースフレーム４０と内側壁面材３３との間の隙間６７まで流下した水が当該隙間６７から腰壁フレーム３１側に流れ込んだ場合、その水は下方に向かってすなわち第一居室１５に向かって容易に流れ落ちることが想定される。つまり、かかる場合には第一居室１５の漏水を招く可能性が高い。この点を鑑みると、内側壁面材３３に対して壁排水構造を構築する意義は大きい。
【００９２】
本発明は上記実施形態に限らず、例えば次のように実施されてもよい。
【００９３】
（１）止水役物７０の構成は必ずしも上記実施形態のものに限定されない。そこで、止水役物７０の変形例を図４（ａ）〜（ｄ）に示す。図４（ａ）に示す止水役物９１は、上記実施形態における止水役物７０の縦板部７０ｂに代えて、斜板部９１ｂが設けられている。斜板部９１ｂは、ベース当接板部９１ａの腰壁フレーム３１側の端部から当該腰壁フレーム３１側に向かって上方に傾斜するように形成されている。この場合、内側壁面材３３の中空部３３ｂを通じて流下した水は斜板部９１ｂの傾斜面上で受け止められた後、同傾斜面に沿ってベース当接板部９１ａの上面に向かって流れる。これにより、中空部３３ｂから流下した水を排水通路６５へ円滑に導くことができ、ひいては円滑にバルコニー空間ＢＳに排出することができる。
【００９４】
図４（ｂ）に示す止水役物９２は、上記実施形態における止水役物７０の壁下当接板部７０ｃ及び壁裏当接板部７０ｄに相当する板部を有していない。すなわち、止水役物９２は、ベース当接板部９２ａと、ベース当接板部９２ａの腰壁フレーム３１側の端部から上方に延びる縦板部９２ｂとを有しており、全体として略Ｌ字状をなしている。縦板部９２ｂは、内側壁面材３３の厚み方向において中空部３３ｂよりも腰壁フレーム３１側に位置しており、その上端部が内側壁面材３３の下端面に当接されている。この場合、内側壁面材３３とベースフレーム４０との間の隙間６７が中空部３３ｂよりも腰壁フレーム３１側の位置で縦板部９２ｂにより閉鎖されている。この場合、中空部３３ｂを通じて流下した水は止水役物９２のベース当接板部９２ａ上で受け止められた後６５へと導かれるため、当該水をバルコニー空間ＢＳへと排出することができる。なお、かかる止水役物９２では縦板部９２ｂの上端部が壁当接部に相当する。
【００９５】
図４（ｃ）に示す止水役物９３は、ベースフレーム４０の上面に当接されたベース当接板部９３ａと、ベース当接板部９３ａの腰壁フレーム３１側の端部から上方に延びる立ち上がり板部９３ｂとを有しており、全体として略Ｌ字状をなしている。立ち上がり板部９３ｂは、その一部が内側壁面材３３の裏面において内側壁面材３３の下端面よりも上方に延びており、その延びた部分が内側壁面材３３の裏面に当接されている。かかる構成においても、強風時に排水通路６５を通じて逆流した水が、立ち上がり板部９３ｂと内側壁面材３３の裏面との間を通じて腰壁フレーム３１側に入り込むのを抑制できる。なお、この例では、Ｌ字状の内側横フレーム材３９に代えて、水平板部３９ｂを有しない鉛直平板状の内側横フレーム材９５が設けられている。また、かかる止水役物９３では、立ち上がり板部９３ｂにおいて内側壁面材３３の裏面に当接された面（換言するとバルコニー空間ＢＳ側の面）が壁裏当接面部に相当する。
【００９６】
図４（ｄ）に示す止水役物９４は長尺状の角材からなり、矩形形状の断面を有している。止水役物９４は、内側壁面材３３とベースフレーム４０との間の隙間６７においてベースフレーム４０の長手方向に沿って延びる向きで配置されている。止水役物９４は当該隙間６７において壁厚み方向にて中空部３３ｂよりも腰壁フレーム３１側に配置されている。止水役物９４は、その上下高さが隙間６７の上下高さと同じとなっており、上面が内側壁面材３３の下端面に当接され、下面がベースフレーム４０（上フランジ部４０ｂ）の上面に当接されている。この場合、止水役物９４上に内側壁面材３３が載置された状態で設置されている。かかる構成においても、中空部３３ｂを通じて隙間６７に流下した水は腰壁フレーム３１側に向かって流れ込むことが阻止されるため、その水を６５を通じてバルコニー空間ＢＳへ排出することが可能である。また、本例の止水役物９４においてはその上面が壁下当接面部に相当し、下面がベース当接部に相当する。
【００９７】
（２）上記実施形態では、水切部材６０を止水役物７０にピース部材７５を介して着脱可能に取り付けたが、水切部材６０を止水役物７０にビス等を用いて着脱不能に取り付けてもよい。また、水切部材６０を止水役物７０以外の部材に取り付けてもよい。例えば、水切部材６０をベースフレーム４０に取り付けてもよい。具体的には、ベースフレーム４０のウェブ部４０ａの外側面に複数のスペーサを取り付け、それらスペーサに対して水切部材６０の水切板部６１をビス等で固定することが考えられる。この場合にも、スペーサによって水切部材６０とベースフレーム４０との間に排水通路６５を形成しつつ、水切部材６０を固定できる。また、この場合、スペーサを排水通路６５の一部を閉塞する閉塞部材として兼用させることもできる。
【００９８】
（３）上記実施形態では、取付部としてのピース部材７５を止水役物７０とは別体として構成したが、取付部を止水役物７０と一体に構成してもよい。例えば、止水役物を合成樹脂により形成する場合には、取付部を含んで止水役物を一体形成することが考えられる。また、上記実施形態では、水切部材６０において被取付部８１を当該水切部材６０と一体に形成したが、被取付部を水切部材６０とは別体として構成し、それをビス等で水切部材６０に取り付けてもよい。
【００９９】
（４）上記実施形態では、バルコニー空間ＢＳを囲んで設けられる各バルコニー腰壁部２２のうち、外壁部１７に対面して設けられたバルコニー腰壁部２２に本発明を適用したが、それ以外のバルコニー腰壁部２２、つまり外壁部１７から屋外側に延びるように設けられたバルコニー腰壁部２２に適用してもよい。
【０１００】
また、外壁部１７に対して本発明を適用してもよい。図５にその具体例を示す。図５に示すように、外壁部１７は、バルコニー空間ＢＳに面して設けられた外壁面材９８を有する。外壁面材９８は上下に延びる複数の中空部９８ａを有しており、その下方には同外壁面材９８に沿って延びるベースフレーム９９が設けられている。ベースフレーム９９における第二居室１６側（バルコニー空間ＢＳとは反対側）には、当該ベースフレーム９９に沿って延びる支持フレーム１０１が設けられている。この支持フレーム１０１上に外壁面材９８が載置された状態で設置されている。なお、図示は省略するが、外壁面材９８の裏面側（第二居室１６側）には当該外壁面材９８を支持する壁フレーム（壁下地材に相当）が設けられている。
【０１０１】
外壁面材９８の下方には水切部材６０が設けられている。水切部材６０はベースフレーム９９に対向配置され、水切部材６０とベースフレーム９９との間にはバルコニー空間ＢＳへ通じる排水通路１０５が形成されている。水切部材６０の背面側には止水役物７０が設けられ、その止水役物７０は、壁下当接板部７０ｃが外壁面材９８の下端面と支持フレーム１０１の上面との間に挟み込まれることで固定されている。
【０１０２】
上記の構成において、外壁面材９８の中空部９８ａに入り込んだ水が中空部９８ａを通じて流下した場合には、その雨水が止水役物７０により受け止められて排水通路１０５に導かれ、その後同通路１０５を通じてバルコニー空間ＢＳに排出される。したがって、外壁面材９８同士の間の目地に設けられたシール材が劣化等してそこから目地に雨水が浸入し中空部９８ａに入り込んだとしても、その水が第二居室１６側に浸入するのを防止できるため、第二居室１６が濡れるといった問題が発生するのを防止できる。
【０１０３】
（５）上記実施形態では、建物１０において二階部分１４のバルコニー２０に設けられたバルコニー腰壁部２２に本発明を適用したが、一階部分１３にバルコニーが外壁部を挟んで一階居室と隣接して設けられていればその外壁部に本発明を適用してもよい。そうすれば、一階居室への水の入り込みを防止することが可能となる。
【０１０４】
上記実施形態では、屋外開放空間としてのバルコニー空間ＢＳを囲むバルコニー腰壁部２２（壁部に相当）に本発明を適用したが、ベランダ等他の屋外開放空間を囲んで設けられる壁部に対して本発明を適用してもよい。また、屋上部を有する建物では、屋上空間（屋外開放空間）を囲んでパラペット壁部が設けられる場合があるが、その場合にパラペット壁部に本発明を適用してもよい。
【符号の説明】
【０１０５】
１０…建物、１７…壁部としての外壁部、２０…バルコニー、２２…壁部としてのバルコニー腰壁部、３３…壁面材としての内側壁面材、３３ｂ…中空部、４０…ベース部材としてのベースフレーム、６０…水切部材、６２…横板部、６５…排水通路、６７…隙間、７０…止水部材としての止水役物、７０ａ…ベース当接部としてのベース当接板部、７０ｃ…壁下当接板部、７５…取付部としてのピース部材、８１…被取付部、８５，８６…閉塞部材、ＢＳ…屋外開放空間としてのバルコニー空間。
【図１】
0005947058.tif 000002
【図２】
0005947058.tif 000003
【図３】
0005947058.tif 000004
【図４】
0005947058.tif 000005
【図５】
0005947058.tif 000006